(57)【要約】【課題】初心者にも紙楽譜に慣れたユーザにも合った表示を行うことができるようにする。【解決手段】楽曲の楽譜をディスプレイに表示させる場合において、楽曲のデータを読み出し、そのデータに基づいて、ディスプレイ中の楽譜表示領域２１の大きさに合わせて頁毎に分けた楽曲の楽譜の画像データである頁画像データまたは、頁分けを行わない楽曲の楽譜の画像データであるロール画像データを生成し、その生成の前または後に頁切換表示キー２２及びスクロール表示キー２３によって楽譜の頁切換表示とスクロール表示の選択を受け付け、頁切換表示が選択された場合には上記頁画像データに基づいて楽譜表示領域２１に楽曲の楽譜を順次頁を切り換えて表示させ、スクロール表示が選択された場合には上記スクロール画像データに基づいて楽譜表示領域２１に楽曲の楽譜を順次スクロールしながら表示させる。【選択図】　　　　図２
2004085640.tif 000002
【特許請求の範囲】
【請求項１】
楽曲の楽譜を表示器に表示させる楽譜表示方法であって、
前記楽曲のデータを取得し、
該データに基づいて、前記表示器の大きさに合わせて頁毎に分けた前記楽曲の楽譜の画像データである頁画像データおよび／または、頁分けを行わない前記楽曲の楽譜の画像データであるロール画像データを生成し、
前記生成の前または後に楽譜の頁切換表示とスクロール表示の選択を受け付け、
前記頁切換表示が選択された場合には前記頁画像データに基づいて前記表示器に前記楽曲の楽譜を順次頁を切り換えて表示させ、前記スクロール表示が選択された場合には前記スクロール画像データに基づいて前記表示器に前記楽曲の楽譜を順次スクロールしながら表示させることを特徴とする楽譜表示方法。
【発明の詳細な説明】
【０００１】
【発明の属する技術分野】
この発明は、楽曲の楽譜をその楽曲のデータに基づいて表示器に表示させる楽譜表示方法に関する。
【０００２】
【従来の技術】
スタンダード・ミディ・ファイル（Ｓｔａｎｄａｒｄ　ＭＩＤＩ　Ｆｉｌｅ）等の楽曲の自動演奏データに基づいて、ディスプレイ等の表示器に対応する楽譜を順次表示させることは、例えばパーソナルコンピュータ（ＰＣ）に所要のプログラムを実行させることにより、従来から行われている。また、電子楽器にも、このような表示を行うことができるものが知られている。
このように楽譜を表示させる場合、一般的に行われているのは、ディスプレイの大きさに合わせて紙に印刷した楽譜のように頁毎に表示し、頁を順次切り換えて楽曲全体の楽譜を表示する方法である。
また、楽譜とは異なるが、ピアノロール譜の場合には、特開平１０−２５４４３５号公報に開示されているように、長いロール状の譜面を順次スクロールさせて表示していくことも行われている。
【０００３】
【発明が解決しようとする課題】
しかしながら、一般的な頁切り換えの方法では、表示されている楽譜が頁の変わり目で全く違うものに切り換わってしまう。そして、ディスプレイは紙楽譜に比べて小さいことが多いため、このような切り換えが頻繁に発生してしまうので、切り換えの時、特に初心者は、楽譜の繋がりが掴みにくくなるという問題があった。
一方、スクロールさせる表示を通常の楽譜に適用した場合、急な切り換えは必要ないが、ディスプレイの表示領域の端部では楽譜が中途半端な位置で切れてしまい、不自然な表示になるので、紙楽譜に慣れたレベルの高いユーザには違和感が起こりやすいという問題があった。
この発明は、このような問題を解決し、楽曲の楽譜を表示器に表示させる場合において、初心者にも紙楽譜に慣れたユーザにも合った表示を行うことができるようにすることを目的とする。
【０００４】
【課題を解決するための手段】
上記の目的を達成するため、この発明の楽譜表示方法は、楽曲の楽譜を表示器に表示させる場合において、上記楽曲のデータを取得し、そのデータに基づいて、上記表示器の大きさに合わせて頁毎に分けた上記楽曲の楽譜の画像データである頁画像データおよび／または、頁分けを行わない上記楽曲の楽譜の画像データであるロール画像データを生成し、上記生成の前または後に楽譜の頁切換表示とスクロール表示の選択を受け付け、上記頁切換表示が選択された場合には上記頁画像データに基づいて上記表示器に上記楽曲の楽譜を順次頁を切り換えて表示させ、上記スクロール表示が選択された場合には上記スクロール画像データに基づいて上記表示器に上記楽曲の楽譜を順次スクロールしながら表示させるようにしたものである。
【０００５】
この場合において、上記楽曲のデータを取得した時点で上記頁画像データとロール画像データを両方生成しておき、表示の実行中に頁切換表示とスクロール表示を任意に選択して切り換え可能にするとよい。
また、所定のテンポで楽譜中を移動するカーソルを表示し、カーソルの移動に合わせて楽譜の表示を自動的に切り替える自動表示を行う場合、基本的には楽譜を頁毎に切り換えて表示するが上記カーソルが表示中の頁内の最下段を移動する間に楽譜の表示を１段分スクロールさせて次の頁の最上段を表示させるようにし、上記カーソルを楽譜の次の頁に移動させる際に表示を完全に次の頁に切り換えるミックス表示も選択して行うことができるようにしてもよい。
【０００６】
【発明の実施の形態】
以下、この発明の好ましい実施の形態を図面を参照して説明する。
まず、この発明の楽譜表示方法を実施するための楽譜表示装置の例について、図１を用いて説明する。図１はその楽譜表示装置の構成を示すブロック図である。
この楽譜表示装置は、図１に示すように、ＣＰＵ１１，ＲＡＭ１２，ＲＯＭ１３，操作子１４，ディスプレイ１５，音源部１６，ハードディスクドライブ（ＨＤＤ）１７，インタフェース１８を備え、これらがバス１９によって接続されている。
【０００７】
ＣＰＵ１１は、ＲＯＭ１３やＨＤＤ１７に記憶しているプログラムを実行することにより、この楽譜表示装置の動作を統括制御すると共に、この発明の楽譜表示方法に係る画像データ生成処理や楽譜表示処理を初めとする種々の処理を行う制御部である。これらの処理については後述する。
ＲＡＭ１２は、楽曲のデータである自動演奏データやこのデータに基づいて生成する楽譜の画像データ等を一時的に記憶したり、ＣＰＵ１１のワークメモリとして使用したりする記憶手段である。
ＲＯＭ１３は、ＣＰＵ１１が実行する各種制御プログラムや更新の必要がないデータ等を記憶する記憶手段である。
【０００８】
操作子１４は、キーボードや各種スイッチ、マウス等によって構成され、ユーザがこの楽譜表示装置に対する操作を行うためのユニットである。ディスプレイ１５に積層したタッチパネル等を用いてもよい。また、後述する表示モードの切り換えのための専用スイッチを設けてもよい。
ディスプレイ１５は、ブラウン管や液晶表示パネルによって構成する表示器であり、この発明の楽譜表示方法によって表示する楽譜を初め、メッセージやＧＵＩ（グラフィカル・ユーザ・インタフェース）等、種々の内容を表示するユニットである。
音源部１６は、スピーカを備え、楽曲の自動演奏データに基づいて音声信号を生成し、これに基づいてスピーカに発音を行わせることにより楽曲の再生を行うユニットである。
【０００９】
ＨＤＤ１７は、各種アプリケーションプログラムや楽曲の自動演奏データ等のデータを記憶する書き換え可能な不揮発性記憶手段である。ＣＰＵ１１にこの発明の楽譜表示方法を実行させるためのプログラムもここに記憶させておけばよい。
インタフェース１８は、この楽譜表示装置を外部装置と接続するためのインタフェースであり、ＭＩＤＩ（Ｍｕｓｉｃａｌ　Ｉｎｓｔｒｕｍｅｎｔｓ　Ｄｉｇｉｔａｌ　Ｉｎｔｅｒｆａｃｅ）インタフェースや、ＵＳＢ（Ｕｎｉｖｅｒｓａｌ　Ｓｅｒｉａｌ　Ｂｕｓ）インタフェース、ネットワークインタフェース等を備えている。
以上のような楽譜表示装置は、ＨＤＤ１７やインタフェース１８を介して接続された外部装置の記憶手段に記憶されている楽曲の自動演奏データを読み出し、このデータに基づいて所要の画像データを生成してその楽曲の楽譜をディスプレイ１５に表示させることができる。なお、このような楽譜表示装置は、ＰＣ等のコンピュータに所要のプログラムを実行させることによっても実現可能である。
【００１０】
次に、図２乃至図５を用いて上述のような楽譜表示装置における楽譜の表示例について説明する。図２はその楽譜表示装置における楽譜表示ウィンドウの表示例を示す図、図３は頁切換表示を行う場合の図２に示した楽譜表示領域内の楽譜の表示例を示す図、図４は同じくスクロール表示を行う場合の表示例を示す図、図５はミックス表示モードの楽譜表示について説明するための図である。
上述の楽譜表示装置においては、この発明の楽譜表示方法に基づいて楽譜を表示する場合、ディスプレイ１５に図２に示すような楽譜表示ウィンドウ２０を表示させ、その中の楽譜表示領域２１に楽譜を表示させる。また、ＧＵＩとして頁切換表示キー２２，スクロール表示キー２３，ミックス表示キー２４，テンポ選択キー２５，自動演奏キー２６，ファイル読み出しキー２７，開始キー２８，一時停止キー２９，停止キー３０を備え、操作子１４を構成するマウスでこれらのキーを選択してクリックすることにより、装置に種々の指示を行うことができるようにしている。
【００１１】
頁切換表示キー２２，スクロール表示キー２３，ミックス表示キー２４は、それぞれ頁切換モード，スクロールモード，ミックスモードの表示モードを選択するためのキーである。そして、頁切換表示キー２２，スクロール表示キー２３は常にいずれか一方のみが押下された状態とし、ミックス表示キー２４は頁切換表示キー２２が押下されている場合のみＯＮ／ＯＦＦを選択可能にしている。図では頁切換表示キー２２が押下された状態を示している。スクロール表示キー２３が押下されている場合にはミックス表示キー２４を半輝度表示等にして選択不可であることを示すようにするとよい。
【００１２】
テンポ選択キー２５は、後述する自動表示時のカーソルの移動や自動演奏のテンポを設定するためのキーであり、押下されるとプルダウンメニューを表示して好みのテンポを選択させるようにしている。もちろん、別のウィンドウを開いて好みのテンポを入力させるようにしてもよい。
自動演奏キー２６は、楽譜表示時に同時に自動演奏も行うか否かを選択するためのキーであり、ＯＮ／ＯＦＦのトグルスイッチとしている。
ファイル読み出しキー２７は、楽譜表示処理に供する楽曲の自動演奏データを読み出すためのキーであり、押下されるとプルダウンメニューを表示して読み出すファイルを選択させるようにしている。そして、ファイルが選択されると、読み出した自動演奏データに基づいて楽譜の画像データを生成し、選択されている表示モードで楽譜表示領域２１にその自動演奏データに係る楽曲の楽譜を表示する。なお、読み出すファイルの選択は、別にウィンドウを開いて行わせるようにしてもよい。
【００１３】
頁切換モードにおける表示は、図３に示すようなものである。すなわち、ディスプレイ１５の大きさ、より具体的にはディスプレイ１５あるいは楽譜表示ウィンドウ２０の大きさに合わせて定められる楽譜表示領域２１の大きさ、に合わせて頁毎に分けた楽曲の楽譜の画像データである頁画像データに基づいて、頁毎にその楽譜を表示する。そして、右端に頁切換タブ３１を設け、このタブによって任意の頁を選択して表示させることができるようにしている。また、頁めくりキー３２，３３を設け、順送り，逆送りで１頁ずつ順に頁を切り換えて表示させることもできるようにしている。なお、頁数が多く、頁切換タブ３１が全て表示しきれない場合には、表示する頁切換タブの範囲を変更するための頁切換タブシフトキーも設けるものとする。
この頁切換モードにおいては、頁毎に楽譜を表示するので、中途半端な位置で楽譜が切れたような表示になることはないが、頁をまたがったような表示は当然行うことができず、頁の変わり目では楽譜は全く違うものに切り換わることになる。
【００１４】
スクロールモードにおける表示は、図４に示すようなものである。すなわち、頁分けを行わない楽曲の楽譜の画像データであるロール画像データに基づいて、スクロール可能なようにその楽譜を表示する。そして、右端にスクロールバー３４を設け、これをドラッグすることによって楽譜を任意の位置までスクロールさせることを可能にしている。また、スクロールキー３５，３６を設け、キーを押下している間だけ順送り，逆送りで順次楽譜をスクロールさせることもできるようにしている。
このスクロールモードにおいては、スクロール位置によっては図４のように１段の楽譜が途中で切れてしまうような表示になることもあるが、頁に関係無く楽譜の任意の位置を表示させることができる。
ミックスモードの表示は、後述する自動表示を行わない場合には頁切換モードの表示と同じである。
【００１５】
開始キー２８は、楽譜表示領域２１に表示している楽譜中にカーソルを表示してこれを指定されたテンポで移動させながら、そのカーソルの移動に従って順次表示を切り換えて楽曲の楽譜全体を表示する自動表示の開始を指示するためのキーである。ここで、表示の切り換えは、頁切換モードでは頁毎の切り換え、スクロールモードではスクロール、ミックスモードではこれらの組み合わせとなる。
すなわち、頁切換モードで自動表示を行う場合には、１頁分の楽譜の最初の段の先頭からカーソルの移動を開始させ、最終段の末尾まで移動させた時点で瞬時に表示を次の頁に切り替え、次の頁の最初の段の先頭から再度カーソルを移動させることになる。このようにすれば、紙に印刷した楽譜をめくる場合と同じように楽譜を表示することができるので、紙楽譜に慣れたユーザにも違和感のない表示を行うことができる。
【００１６】
一方、スクロールモードでは、カーソルを基本的には表示している楽譜の上から２段目に位置させるようにしながら楽譜を連続的にスクロールさせて最後まで表示するようにしている。言い換えると、２段目の先頭から末尾までカーソルを移動させる間に楽譜を１段分上にスクロールさせ、カーソルが段の末尾に達した時点でカーソルのある段が１段目に、次の段が２段目に位置するようにし、その後次の段にカーソルを移動させて同様にスクロールさせることを繰り返している。このようにすれば、カーソルの位置する高さをあまり変化させることがなく、またカーソルの位置する段（演奏中の段）の前後の楽譜を参照することができるので、慣れないユーザであっても演奏位置や楽譜のつながりを容易に認識できるような表示を行うことができる。なお、自動表示の開始時にはカーソルに１段目を移動させ、次の段に移動するまではスクロールを行わないものとするが、最初の段が２段目に相当する位置になるような状態から表示を開始し、開始時からスクロールを行うようにしてもよい。
【００１７】
ミックスモードでは、基本的には頁切換モードと同様な表示を行うが、図５に矢印Ａで示すようにカーソル４１が表示中の頁の最下段を移動する場合に、カーソル４１がその段の先頭から末尾まで移動する間に、矢印Ｂで示すように楽譜を１段分スクロールさせる。つまり、カーソルが各頁の最下段の末尾に達した時点では、画面には次の頁の１段目の楽譜が表示されていることになる。そして、カーソルが最下段の末尾に達した時点で瞬時に表示を次の頁に切り替え、次の頁の最初の段の先頭から再度カーソルを移動させる。このようにすれば、基本的には頁毎に表示を行うので紙楽譜に慣れたユーザにも違和感のない表示を行うことができる一方、頁を切り換える前に次の頁の最初の段を表示することができるので、ユーザが楽譜のつながりを容易に認識できるようにすることができる。
なお、図では矢印Ｂは下向きであるが、これは長い楽譜のうちの表示する領域を下にずらすことを意味し、画面上では楽譜は上にスクロールさせるものである。また、表示枠の幅を枠毎に変えているが、これは単に図示の都合のためであり、表示時に表示枠の幅を変えることを意味するものではない。
【００１８】
なお、自動演奏の実行が指定されている場合には、自動表示と同時に自動演奏データに基づいて音源部１６に自動演奏を実行させる。この場合、自動演奏と自動表示のテンポを一致させ、カーソルを演奏中の箇所に位置させるようにする。また、自動表示を行う際には、図３及び図４に符号３１乃至３６で示したタブ，キー，バーの操作は禁止するものとする。
一時停止キー２９と停止キー３０は、それぞれ上記の自動表示と自動演奏を一時停止及び停止させるためのキーである。一時停止中に再度一時停止キー２９が押下された場合は、一時停止された位置から自動表示と自動演奏を再開する。
【００１９】
次に、図６を用いてこの発明の楽譜表示方法を上述の楽譜表示装置に実行させる場合の処理例について説明する。図６はその処理を示すフローチャートである。
上述した楽譜処理装置のＣＰＵ１１は、図２に示したファイル読み出しキー２７が押下されて読み出すべき楽曲の自動演奏データが指定されると、ＨＤＤ１７に記憶しているプログラムを呼び出して実行することにより、図６のフローチャートに示す処理を開始する。
【００２０】
まず、ステップＳ１でその楽曲の自動演奏データをＨＤＤ１７やインタフェース１８を介して接続された外部装置の記憶手段から読み出して取得する。読み出した自動演奏データはＲＡＭ１２に記憶させる。
そして、ステップＳ２で、その自動演奏データに基づいて、ディスプレイ１５の大きさに合わせて頁毎に分けた楽曲の楽譜の画像データである頁画像データと、頁分けを行わない楽曲の楽譜の画像データであるロール画像データとを生成する。生成した各画像データもＲＡＭ１２に記憶させる。
ここで、頁切換表示のみを行う場合には頁画像データのみを、スクロール表示のみを行う場合にはロール画像データのみを生成すれば足りるが、両方の表示を任意に切り換えて行うことができるようにするため、またミックス表示を行うことができるようにするために、頁画像データとロール画像データの両方を生成しておくものとする。また、楽譜の全ての部分について画像データを生成せず、当面の表示に必要な一部のみについて画像データを生成し、後で必要になった場合にその部分の画像データを生成するようにしても一応表示を行うことができるが、ここでは楽譜の全ての部分について画像データを生成しておくものとする。
【００２１】
次に、ステップＳ３で頁切換モードが選択されているか否かを判断する。ＣＰＵ１１は図２に示したＧＵＩによって頁切換表示とスクロール表示の選択を受け付けているので、頁切換表示キー２２とスクロール表示キー２３の押下状況に従ってこの判断を行うことができる。
ステップＳ３で選択されていれば、ステップＳ４に進んでミックスモードが選択されているか否かを判断する。この判断は、図２に示したミックス表示キー２４の押下状況に従って行うことができる。
【００２２】
ステップＳ４で選択されていなければ、頁切換モードであるので、ステップＳ５に進んで頁切換モードの表示を実行する。この表示は、頁画像データに基づいてディスプレイ１５に楽曲の楽譜を順次頁を切り換えて表示させるものであり、その詳細は前述した通りである。なお、自動表示が指示されていれば上述した自動表示を、そうでなければタブやキーで表示を切り換える通常表示を行うものとする。この点は以下に説明するステップＳ５やＳ６でも同様である。
そして、ステップＳ８に進んで表示の終了が指示されたか否か判断し、指示されていれば処理を終了し、指示されていなければステップＳ３に戻って処理を繰り返す。
【００２３】
ステップＳ４でミックスモードが選択されていれば、ステップＳ６に進んでミックスモードの表示を実行してステップＳ８に進む。この表示は、頁切換モードとスクロールモードを組み合わせたものであり、その詳細は前述した通りであるが、この表示には頁画像データとロール画像データの両方を用いる。
すなわち、各頁の表示を行う時には頁画像データを、図５に矢印Ｂで示したように楽譜をスクロールさせる時にはロール画像データを用いて表示を行う。この場合において、頁毎の表示からスクロール表示に切り換える時には、ロール画像データのうちの表示中の頁に対応する位置からスクロール表示を開始するものとする。ただし、頁画像データではディスプレイの大きさに合わせて頁分けを行っており、各頁に入りきらない段は次の頁に入れるようにしている一方、ロール画像データでは特にこのような配慮はしていない。そこで、スクロール表示に切り換える際、表示を行うのは頁表示時に譜面が表示されていた部分のみとし、その下の余白だった部分には何も表示しないように表示範囲を調整するようにするとよい。このようにすれば、図４の最下部に示したような半端な段が突然表示されてしまいユーザに違和感を生じさせることを防止できる。
【００２４】
ステップＳ３で頁切換モードが選択されていなければ、スクロールモードであるので、ステップＳ７に進んでスクロールモードの表示を実行してステップＳ８に進む。この表示は、ロール画像データに基づいてディスプレイ１５に楽曲の楽譜を順次スクロールしながら表示させるものであり、その詳細は前述した通りである。
以上の処理において、ステップＳ５，Ｓ６，Ｓ７における表示処理は、適当な時間単位で一旦中断して表示の終了やモード選択の変更を確認するために次のステップに進むものとするが、これらの確認に割込み処理等を用いるようにしてもよい。
【００２５】
以上のような処理を行うことにより、ユーザが好みに合った表示を容易に選択できるので、初心者から紙楽譜に慣れたユーザまで、多様なユーザのニーズに合った表示を実現することができる。また、予め頁画像データとロール画像データの両方を生成しておくことにより、通常表示はもちろん自動表示の最中にも表示モードを任意に切り換えることができ、高い操作性を実現することができる。
さらに、ミックスモードの表示も行うことができるようにすれば、ユーザが楽譜のつながりを違和感なく認識可能な表示を行うことができる。
【００２６】
なお、以上説明した実施形態においては、頁切換モードを選択した場合のみミックスモードのＯＮ／ＯＦＦを選択できるようにしたが、頁切換モード，スクロールモード，ミックスモードを独立に選択可能としてもよい。また、ミックスモードはこの発明に必須ではないので、設けないようにしても構わない。
また、スクロールモードの表示において、ここではカーソルは基本的に上から２段目に位置させるようにしたが、カーソルが常に最上段に位置するようにし、カーソルがその段の末尾に達した時点で２段目以降が１段ずつ競り上がるようにスクロールさせ、新たに最上段となった次の段にカーソルを移動させるようにしてもよい。
【００２７】
さらに、以上説明した実施形態においては、楽曲のデータを取得した後頁画像データとロール画像データの両方を作成する例について説明したが、データを取得した後データの生成前に表示モードの選択を受け付け、すなわち表示モードの設定を参照し、そのモードでの表示に必要な画像データのみを生成するようにしてもよい。このようにすると、表示実行中に表示モードを切り換える際には新たな画像データを生成する分時間がかかることになるが、初めに楽譜を表示する際には、必要な画像データを生成するのみでよいので、表示までに要する時間を短縮することができる。従って、ユーザが表示中に他の表示モードへ切り替えることを必要としない場合には、この方法が有効である。
【００２８】
また、楽曲のデータとして自動演奏データを用いる例について説明したが、データ形式は任意のものでよく、自動演奏についてもこの発明に必須ではない。自動表示についても同様である。
さらに、この発明の楽譜表示方法を実施する装置はＰＣ等の汎用コンピュータに限られるものではなく、演奏操作子を有する電子楽器や、楽譜表示の専用機であってもよい。
【００２９】
【発明の効果】
以上説明してきたように、この発明の楽譜表示方法によれば、楽曲の楽譜を表示器に表示させる場合において、初心者にも紙楽譜に慣れたユーザにも合った表示を行うことができる。
【図面の簡単な説明】
【図１】この発明の楽譜表示方法を実施するための楽譜表示装置の一例の構成を示すブロック図である。
【図２】その楽譜表示装置における楽譜表示ウィンドウの表示例を示す図である。
【図３】頁切換表示を行う場合の図２に示した楽譜表示領域内の楽譜の表示例を示す図である。
【図４】同じくスクロール表示を行う場合の表示例を示す図である。
【図５】ミックス表示モードの楽譜表示について説明するための図である。
【図６】この発明の楽譜表示方法を図１に示した楽譜表示装置に実行させる場合の処理を示すフローチャートである。
【符号の説明】
１１…ＣＰＵ、１２…ＲＡＭ、１３…ＲＯＭ、１４…操作子、１５…ディスプレイ、１６…音源部、１７…ＨＤＤ、１８…インタフェース、１９…バス、２０…楽譜表示ウィンドウ、２１…楽譜表示領域、２２…頁切換表示キー、２３…スクロール表示キー、２４…ミックス表示キー、２５…テンポ選択キー、２６…自動演奏キー、２７…ファイル読み出しキー、２８…開始キー、２９…一時停止キー、３０…停止キー、３１…頁切換タブ、３２，３３…頁めくりキー、３４…スクロールバー、３５，３６…スクロールキー、４１…カーソル
【図１】
2004085640.tif 000003
【図２】
2004085640.tif 000004
【図３】
2004085640.tif 000005
【図４】
2004085640.tif 000006
【図５】
2004085640.tif 000007
【図６】
2004085640.tif 000008